(57)【特許請求の範囲】
【請求項１】
平面視Ｃ字形状に、後部を開口２する弾性半筒状保持板３から上下に屈曲するバネ板５，５を、適当間隙を隔てて平面視ほぼ平行に前方突出し、全体を弾性に富む合成樹脂材で一体成形したトリガー式液体噴出器のトリガー付勢用バネ部材において、
弾性半筒状保持板３前壁部分の左右両側から、前方突出棒部４，４を介してバネ板５，５の基部5a, 5aを立設すると共に、これ等両基部から延出するバネ板中間部5b，5bを、上前方へ張出す大弯曲部６，６に形成し、更にこれ等両大弯曲部先端から下前方へ、上面を凹状に多少弯曲させてバネ板先端部5c，5cを突出し、
又それ等両バネ板前端間を間隔保持板７で連結すると共に、該間隔保持板７前面からトリガー係合用の係合板８を前方突出した
ことを特徴とするトリガー式液体噴出器のトリガー付勢用バネ部材。
【発明の詳細な説明】
【０００１】
【発明の属する技術分野】
【０００２】
【従来の技術】
トリガー式の液体噴出器は、一般に容器体口頸部へ嵌合させる装着筒上部内から垂直筒を起立し、該垂直筒上端から射出筒を、かつ中間部からシリンダを、それぞれ前方突出し、上記射出筒前部から前後方向へ揺動可能に垂設したトリガーの上方後部に、上記シリンダ内へ前方付勢させて嵌合させたプランジヤ前端部を係止し、トリガーの揺動操作で容器体内液体をシリンダ内へ吸込み、かつ該シリンダ内液体を射出筒前端のノズルから噴出するよう設けている。
【０００３】
従来上記プランジヤの前方付勢はシリンダ内へ装着させた金属製のコイルスプリングで行っていた。
【０００４】
【発明が解決しようとする課題】
近時、廃棄物の増大に伴って廃棄物を資源として再活用することが求められているが、一般に物品は材質を異にする複数の部材を組合せて形成されており、このような物品は材質毎に分解することが困難であるため、資源としての再活用が困難である。
【０００５】
上記液体噴出器の場合、コイルスプリング以外の部材は吸込み弁および吐出弁に使用する玉弁の玉を除いて合成樹脂材で成形されており、又上記両弁も玉弁以外の弁が公知であるから、金属製のコイルスプリングをそのまま合成樹脂製とすればよい筈であるが、金属と合成樹脂とでは弾性に著しい差異があるため、弾性が不足する。
【０００６】
本発明は、従来シリンダ内に装着させて直接プランジヤを前方付勢させていたコイルスプリングに代えて、トリガーとプランジヤとを連結し、トリガーを介してプランジヤを前方付勢させることで、従来とほぼ同様の前方付勢力を有する合成樹脂製のバネ部材を得たものである。
【０００７】
【課題を解決するための手段】
第１の手段として、平面視Ｃ字形状に、後部を開口２する弾性半筒状保持板３から上下に屈曲するバネ板５，５を、適当間隙を隔てて平面視ほぼ平行に前方突出し、
全体を弾性に富む合成樹脂材で一体成形したトリガー式液体噴出器のトリガー付勢用バネ部材において、
【０００８】
弾性半筒状保持板３前壁部分の左右両側から、前方突出棒部４，４を介してバネ板５，５の基部5a,5aを立設すると共に、これ等両基部から延出するバネ板中間部5b，5bを、上前方へ張出す大弯曲部６，６に形成し、更にこれ等両大弯曲部先端から下前方へ、上面を凹状に多少弯曲させてバネ板先端5c，5cを突出し、
【０００９】
又それ等両バネ板前端間を間隔保持板７で連結すると共に、該間隔保持板７前面からトリガー係合用の係合板８を前方突出した。
【００１０】
【発明の実施の形態】
１は本発明に係る、トリガー式液体噴出器のトリガー付勢用のバネ部材の全体を示す。該バネ部材は図１が示すように、平面でみてＣ字形状に、後部を開口２する弾性半筒状保持板３を有する。該半筒状保持板は図２が示すように、トリガー式液体噴出器のシリンダ27と射出筒26との間の垂直筒35前半部外面へ嵌合させるもので、その開口２の横巾は垂直筒35の外径よりも多少短かく、つまりその開口を垂直筒外面へ当て、そのまま垂直筒35に押付けることで半筒状保持板３を弾性変形させて垂直筒35の前半部外面へ嵌合できるよう設ける。
【００１１】
上記半筒状保持板３前壁部分の左右両側からは、前方突出棒部４，４を介してバネ板５，５の基部5a，5aを上方へ起立し、又これ等両基部から延出するバネ板中間部5b，5bを、上前方へ張出す大弯曲部６，６に形成し、更にこれ等両大弯曲部の先端から下前方へ、上面が凹状となるよう多少弯曲させてバネ板先端部5c，5cを突出し、又それ等バネ板先端間を間隔保持板７で連結し、該間隔保持板前面から、トリガー係合用の係合板８を前方へ突出している。
【００１２】
バネ板５，５は、平面でみてほぼ平行に前方突出するものとなし、又そのバネ板間の間隙は、図２が示すようにその大弯曲部６，６間へトリガー式液体噴出器の射出筒26を遊挿可能に設ける。又上記係合板８は、トリガー32の上方後部へ係止可能とするもので、トリガー前壁32a の左右両側から後方突設する側壁32b ，32b 間へ嵌合させることが可能とする。尚図示例では係合板８を、間隔保持板７前面の左右両側から二本平行に突出して形成しているが、一枚板で形成しても差支えない。
【００１３】
バネ板５，５が適当な強度を有すれば、上記間隔保持板および係合板は省略してもよく、又半筒状保持板から突出するバネ板形状も適宜変更することが出来る。
【００１４】
図２は、既述バネ部材１を装着させたトリガー式液体噴出器を示す。該液体噴出器について簡単に説明すると、21は容器体口頸部に螺合等して嵌合させる装着筒、22はその装着筒の上部内面から起立する噴出器本体取付け部材で、噴出器本体の外垂直筒内面へ嵌合させる内垂直筒23を起立する。
【００１５】
24は噴出器本体で、上記内垂直筒外面へ嵌合させた外垂直筒25上端からは射出筒26が、又外垂直筒下部からはシリンダ27が、それぞれ前方へ突出している。射出筒26前部にはノズルヘッド取付筒28を嵌合させ、該取付筒前部にはノズル孔30付きのノズルヘッド29を嵌合させている。尚該ノズルヘッド29はノズル孔30を開閉する蓋板付き部材31を有する。
【００１６】
射出筒26前部からは、前後方向への揺動が自在にトリガー32が斜下前方へ垂下させてあり、又該トリガーの上方後部には、上記シリンダ内へ後部を嵌合させて前方突出するプランジヤ33前部を枢着させている。
【００１７】
内外二重筒に形成した垂直筒35内には弁部材36を装着させる。該弁部材は波板断面形状に屈曲部を連続する板バネ37下端に吸込み弁体38を、又板バネ上端から係合棒39を起立して、該係合棒下部から外向きフランジ状壁を介して上外方へ逆スカート状の弾性筒としての吐出弁体40を起立して、合成樹脂材で一体成形したもので、吸込み弁体38下面を垂直筒35の下部内面に設けた吸込み弁座41へ、又係合棒39上端を垂直筒上面を閉塞する上壁42下面へ、それぞれ圧接させている。
【００１８】
本発明のバネ部材１は、内外両垂直筒が形成する垂直筒35が、シリンダ27と射出筒26間に有する間隙部分の前半部分へ弾性半筒状保持板３を嵌合させ、バネ板５，５を前方突出させてトリガー32の上部後面に設けた後面開口の凹部43内へ係止させる。該凹部は図示例において、トリガー前壁32a と該前壁の左右両側から後方突出させた側壁32b ，32b と、それ等側壁間に横設した上下のリブ44，44とで形成している。
【００１９】
図２が示す状態からトリガー32を引寄せると、シリンダ27内の高圧化でシリンダ後壁に設けた透孔45を通って垂直筒35内に入った液体は、吐出弁体40を弾性変形させることで射出筒26内へ入り、ノズル孔30から噴出する。トリガー32を離すと、バネ板５，５の復元によりトリガー32およびプランジヤ33が元の位置へ復元することとなり、このとき高圧状態解消により弾性吐出弁体40はその上端外周部を垂直筒35内面へ圧接して吐出弁を閉じているため、シリンダ27内は負圧化することとなり、該負圧化により吸込み弁孔を閉塞している吸込み弁体38は中間バネ板の弾性に抗して押上げられ、すると吸上げパイプ46を通って容器体内液体がシリンダ27内へ入り、次回のトリガー引寄せ操作による液体噴出に備える。
【００２０】
【発明の効果】
本発明は既述構成とするものであり、本発明に係るバネ部材は、平面でみてＣ字形状に、後部を開口２する弾性半筒状保持板３を有するから、該半筒状保持板をトリガー式液体噴出器の垂直筒35外面へその開口２を当て、そのまま押付けるだけでその半筒状保持板３が弾性変形して垂直筒35外面へ嵌合させることが出来、又その半筒状保持板３から上下に屈曲するバネ板５，５を、適宜間隙を隔てて平面でみてほぼ平行に前方突出したから、そのバネ板５，５の間隙内へ射出筒26を遊挿させてバネ板前端をトリガー32の上部後面に設けた凹部43内へ係止させることが出来、このようにしてバネ部材１を合成樹脂材で形成したに拘らず、バネ板５，５の長さ、および弾性を大として、トリガー32を介してプランジヤ33を前方付勢させることが出来る。
【００２１】
又、本発明のバネ部材は、上記半筒状保持板３の前壁部分の左右両側から、前方突出棒部４，４を介してバネ板基部5a，5aを立設し、これ等両基部から延出するバネ板中間部5b，5bを、上前方へ張出す大弯曲部６，６に、更に該大弯曲部先端から上面を多少弯曲させてバネ板先端部5c，5cを突出したから、トリガー引寄せによりバネ板５，５はその全体をほぼ均等に弾性変形させることとなり、トリガー32を介してプランジヤ33を前方付勢させることの可能な弾性が容易に得られる。又バネ板前端間を間隔保持板７で連結すると共に該間隔保持板前面からトリガー係合用の係合板８を突出したから、両バネ板５，５は常に同時に弾性変形することとなって、その弾性を高めると共にトリガー式液体噴出器に対するバネ部材１の装着も容易に行うことが出来る。
【図面の簡単な説明】
【図１】  本発明に係るバネ部材の斜視図である。
【図２】  図１バネ部材を使用する、トリガー式液体噴出器の断面図である。
【符号の説明】
１…バネ部材      ３…半筒状保持板      ５…バネ板
６…大弯曲部      24…噴出器本体        32…トリガー
35…垂直筒
【図１】
0003655413.tif 000002
【図２】
0003655413.tif 000003